(57)【要約】【課題】氷枕兼用湯たんぽとして、両用途の転換を繰り返しても傷みにくく、耐久性に優れ、低コストで容易に製作でき、氷枕としても良好な使用感が得られるものを提供する。【解決手段】熱可塑性合成樹脂のブロー成形物からなる偏平形の容器本体１の上面側に、口径５０〜１００ｍｍの熱媒出入口２が形成され、熱媒出入口２に螺着して水密封止するキャップ３を具備してなる。【選択図】図２
0003126583.tif 000002
【実用新案登録請求の範囲】
【請求項１】
熱可塑性合成樹脂のブロー成形物からなる偏平形の容器本体の上面側に、口径５０〜１００ｍｍの熱媒出入口が形成されると共に、この熱媒出入口に螺着して水密封止するキャップを具備してなる氷枕兼用湯たんぽ。
【請求項２】
容器本体がポリエチレンからなり、熱媒出入口の雄ねじ筒部とキャップとがポリプロピレンからなる請求項１記載の氷枕兼用湯たんぽ。
【請求項３】
容器本体の熱媒出入口用開口部に前記雄ねじ筒部が融着されてなる請求項２記載の氷枕兼用湯たんぽ。
【考案の詳細な説明】
【技術分野】
【０００１】
本考案は、氷枕と兼用する湯たんぽに関する。
【背景技術】
【０００２】
湯たんぽは、概して就寝時に身体を温めるために中に湯を入れて使用されるものであり、古くから金属製と陶製のものが主流になっている。一方、氷枕は、風邪引き等の発熱疾患時に頭部の冷やすために氷水を入れて使用されるものであり、一般的に厚地で偏平なゴム袋にて構成され、その一端側の袋口を金属製クリップで挟み付けて封じるようになっている。
【０００３】
しかして、湯たんぽと氷枕とは、上述のような用途目的の違いから以前には全く別物であったが、内容物（湯と氷水）と配置位置（足元と枕元）は異なっても、共に人が床に着いた状態で使用するものである上、形態的にも偏平な容器状をなす点で共通するため、両用途での使い勝手さえ良ければ兼用することも無理ではない。そこで、本出願人は先に、に、頭を冷やす氷枕としても使用可能な湯たんぽを提案している（特許文献１）。
【特許文献１】実用新案登録第３１２２３００号公報
【考案の開示】
【考案が解決しようとする課題】
【０００４】
前記提案に係る氷枕兼用の湯たんぽは、金属製湯たんぽ本体の下面側を平坦面に形成して、電磁調理器でも効率良く湯沸かし可能にすると共に、湯たんぽ本体の上面側も平坦にすることで、氷枕として使用する際に頭を載せ易くしたものである。しかるに、湯たんぽと氷枕では使用温度が大きく異なり、熱膨張率の大きい金属製の湯たんぽ本体の場合、湯たんぽでの加熱膨張と氷枕での冷却収縮との間で激しい寸法変化を生じるから、両用途の転換を繰り返すことで金属部材同士の接合部の剥離や亀裂が生じ易い上、その温度変化に耐え得る構造にするために製作コストも高くつく他、特に氷枕として頭を載せた際に金属の硬い感触によって使用感に劣ることになる。
【０００５】
本考案は、上述の事情に照らし、氷枕兼用湯たんぽとして、両用途の転換を繰り返しても傷みにくく、耐久性に優れると共に低コストで容易に製作でき、氷枕としても良好な使用感が得られるものを提供することを目的としている。
【課題を解決するための手段】
【０００６】
上記課題を解決するために、本考案の請求項１に係る氷枕兼用湯たんぽは、図面の参照符号を付して示せば、熱可塑性合成樹脂のブロー成形物からなる偏平形の容器本体１の上面側に、口径５０〜１００ｍｍの熱媒出入口２が形成されると共に、この熱媒出入口２に螺着して水密封止するキャップ３を具備してなる構成としている。
【０００７】
請求項２の考案は、請求項１記載の氷枕兼用湯たんぽにおいて、容器本体１がポリエチレンからなり、熱媒出入口２の雄ねじ筒部２０とキャップ３とがポリプロピレンからなるものとしている。
【０００８】
請求項３の考案は、請求項２記載の氷枕兼用湯たんぽにおいて、容器本体１の熱媒出入口用開口部１０に前記雄ねじ筒部２０が融着されてなるものとしている。
【考案の効果】
【０００９】
上記解決手段による考案の効果を後述する実施形態の参照符号を付して説明すると、請求項１に係る考案の氷枕兼用湯たんぽは、容器本体１が熱可塑性合成樹脂のブロー成形物からなるため、低コストで極めて容易に製作できると共に、容器本体１自体に継ぎ目がないことに加えて素材の熱膨張率も小さいから、氷枕と湯たんぽの両用途の転換を繰り返しても剥離や亀裂を生じず、優れた耐久性を発揮する。また、氷枕としての使用では、に頭を載せた際の感触が金属のように硬くないため、良好な使用感が得られ、また熱媒出入口２の口径が適度な範囲にあるから、一般的な家庭用電気冷蔵庫の製氷皿や製氷ボックスにて得られるサイズの角形等の氷片を支障なく投入できると共に、キャップ３による確実な水密封止と良好な開閉操作性を確保できる。
【００１０】
請求項２に係る考案によれば、容器本体１が比較的に柔らかいポリエチレンからなるため、特に氷枕として頭を載せた際により良好な使用感が得られる一方、熱媒出入口２の雄ねじ筒部２０とキャップ３とが比較的に硬いポリプロピレンからなるため、該熱媒出入口２の水密封止がより確実になる。
【００１１】
請求項３に係る考案によれば、容器本体１の熱媒出入口用開口部１０に前記雄ねじ筒部２０を融着することから、熱媒出入口２を簡単な操作で強固に形成できる。
【考案を実施するための最良の形態】
【００１２】
以下に、本考案の好適な実施形態について、図面を参照して具体的に説明する。図１は本考案に係る氷枕兼用湯たんぽの平面図、図２は同側面図、図３は図１のＡ−Ａ線の断面矢視図である。
【００１３】
この氷枕兼用湯たんぽは、平面視楕円形で偏平な容器本体１がポリエチレンのブロー成形物からなり、この容器本体１の上板部１１の中央に熱媒出入口２が形成され、この熱媒出入口２にキャップ３を螺着して水密封止するようになっている。
【００１４】
しかして、容器本体１には、その長手方向一端側に、上下板部１１，１２が内面側で略接する凹陥部１３ａと、当該容器本体１の周縁に沿う弧状突縁部１３ｂとで下げ持ち用の把手部１３が構成されている。そして、上板部１１には、熱媒出入口２を挟む両側で容器本体３の長手方向に略沿って湾曲した２本の非凹凸線条部１１ａ，１１ａを有すると共に、これら非凹凸線条部１１ａ，１１ａ間の中央領域と両外側領域とに波形凹凸１４が形成されている。また、下板部１２においても、上板部１１側と同様の２本の非凹凸線条部１２ａ，１２ａ有し、これらで区分された中央領域と両外側領域とに波形凹凸１５が形成されている。
【００１５】
熱媒出入口２は、図３に示すように、容器本体１の上板部１１設けた環状突縁１１ｂに、ポリプロピレン製の雄ねじ筒部２１が外嵌溶着されてなり、その口径が５０〜１００ｍｍと大きく設定されている。
【００１６】
このような構成の氷枕兼用湯たんぽでは、容器本体１内に湯を入れて湯たんぽとして使用できると共に、容器本体１内に氷水を入れて氷枕としても使用できる。しかして、容器本体１はポリエチレンのブロー成形物からなるため、低コストで極めて容易に製作できると共に、容器本体１自体に継ぎ目がなく、且つ素材の熱膨張率も小さいから、氷枕と湯たんぽの両用途の転換を繰り返しても剥離や亀裂を生じず、優れた耐久性が得られる。
【００１７】
また、氷枕としての使用では、容器本体１がポリエチレン製であるから、頭を載せた際の感触が金属のように硬くなく、もって良好な使用感が得られ、また熱媒出入口２の口径が５０ｍｍ以上と大きいため、図３に例示するように、一般的な家庭用電気冷蔵庫の製氷皿や製氷ボックスにて得られるサイズの角形等の氷片４…を、特に砕いたりせずにそのまま投入可能である。しかるに、熱媒出入口２の口径が１００ｍｍより大きくなると、容器本体１が合成樹脂製であることから、撓み変形等でキャップ３による水密封止の信頼性が低下する。
【００１８】
なお、上記実施形態のように容器本体１の上下板部１１，１２に波形凹凸１４，１５を設けることにより、板状部の剛性が増すから、容器としての耐圧強度が向上する。しかして、熱媒出入口２の位置は、実施形態のような容器本体１の中央部に限らず、長手方向の一端側に寄った位置等、種々設定できる。また、氷枕としての使用では、頭を載せる上で出っ張りが少ないことが望ましいため、熱媒出入口２が上方へ突出しないように，その形成部分を低く構成してもよい。
【００１９】
容器本体１の素材としては、例示したポリエチレン以外の熱可塑性合成樹脂も使用可能であるが、特に氷枕としての使用時の適度な柔らかさと材料コストの両面からポリエチレンが最適である。一方、熱媒出入口２を構成する雄ねじ筒部２１とキャップ３については、やはり例示したポリプロピレン以外の熱可塑性合成樹脂も使用可能であるが、熱媒出入口２の口径が大きいため、キャップの締め付けによる封止を確実にする上で、硬度の大きいポリプロピレンが望ましい。
【図面の簡単な説明】
【００２０】
【図１】本考案の一実施形態に係る氷枕兼用湯たんぽの平面図である。
【図２】同氷枕兼用湯たんぽの側面図である。
【図３】図１のＡ−Ａ線の断面矢視図である。
【符号の説明】
【００２１】
１            容器本体
１１          上板部
１２          下板部
１３          把手部
１４，１５    波形凹凸
２            熱媒出入口
２１          雄ねじ筒部
３            キャップ
４            氷片
【図１】
0003126583.tif 000003
【図２】
0003126583.tif 000004
【図３】
0003126583.tif 000005